(57)【要約】【課題】巻き取られたパイプにビニルが巻き取られて形成されたビニルシートを保温トンネルの上部に備え、巻き取り用パイプの回転によりビニルを自動で上昇または下降させることによって、保温トンネルを自動で開閉するための温室の中央巻き取り式保温トンネル及び保温カーテン自動開閉装置及び方法を提供する。【解決手段】シートロールホルダーは保温トンネルを区画するトンネルフレームを横切るクリップ固定棒に設置される。各シートロールホルダーはクリップ固定棒に設置されると共に高さの調節もできる。シートロールはローラでシートロールホルダーによって支持され、シートロールホルダーに中心としてできるように形成されたレスト孔を通って延長される。巻き取られたパイプが回転されるのでビニルシートが巻かれまたは解かれ、それによって保温トンネルが開閉される。
2005520504.tif 000002
【特許請求の範囲】
【請求項１】
一つの垂直ボルト挿入口を具備してクリップ固定棒に結合され、前記ボルト挿入口を貫通する一つのボルト、前記ボルトに螺合するナット等、また、前記ボルトの上端部に取り付けられた固定クリップによって高さが調節でき、その中心部に区画された一つのレスト孔と、その下端部にその両側面から互いに対向して延長される一対の保持鍔を備える一つのホルダー胴体部と、前記保持鍔の両端部に回転自在に設けられた一つのサポートローラと、前記レスト孔の中心部に位置されるようにホルダーの上端部からレスト孔に下向延長されるブラケットによってホルダー胴体部に回転自在に結合された一つのガイドローラとを各々含んで構成され、長手方向に同間隔で離隔されたアーチ型トンネルフレームを横切って延長される一つのクリップ固定棒に設置された複数のシートロールホルダーと、外周面にシートロールの形態でビニルまたは不織布のシートが巻かれ、前記シートを解くまたは巻くため回転されるようにその一側端部にモータ手段が連結された一つの巻き取り用パイプとを含んで構成された温室の中央巻き取り式保温トンネル及び保温カーテン自動開閉装置。
【請求項２】
前記シートはシートロールが二つの先端部を有するように二重に重ねた状態で巻き取り用パイプに巻かれ、シート支持台が前記シートロールの各々先端部に結合され、前記巻き取り用パイプの外周のシートロールはシートロールホルダーの各々保持鍔に設けられたサポートローラと、レスト孔に設けられたブラケットにより支持されるガイドローラによって安定で支持され、また、前記サポートローラとガイドローラはローラ等と接触する時、生ずる摩擦抵抗及び滑りによるシートの損傷と皺現象を防止するために表面処理された請求項１に記載の温室の中央巻き取り式保温トンネル及び保温カーテン自動開閉装置。
【請求項３】
一つの巻き取り用パイプの外周に二重に重ねたビニルまたは不織布のシートを巻いた二つの先端部を有する一つのシートロールを作る段階と、保温トンネルの長手方向に延長するため保温トンネルの上に設けられた複数のシートロールホルダーによって巻き取り用パイプに巻かれた前記のシートロールを回転可能に支持する段階と、シートロールの先端部等が保温トンネルの両側部を沿って移動して保温トンネルを開閉するように巻き取り用パイプを正・逆回転させる段階とを含んで構成された、温室の中央巻き取り式保温トンネル及び保温カーテン自動開閉方法。
【発明の詳細な説明】
【技術分野】
【０００１】
本発明は、温室の保温トンネル及び保温カーテン自動開閉装置及び方法に関し、特に、巻き取り用パイプにビニルシートが巻き取られたシートロールを保温トンネルの上部に設置する。前記のビニルシートが巻かれた巻き取り用パイプの回転によって自動に解けまたは巻かれて保温トンネルを自動で開閉する温室の中央巻き取り式保温トンネル及び保温カーテン自動開閉装置に関する。より詳しくは、本発明は作物が育っている空間だけを保温するためその空間を区分隔離させて暖房保温を行う必要があるので、不要な空間の暖房により無駄になる暖房費を節減できるようにした温室の中央巻き取り式保温トンネル及び保温カーテン自動開閉装置に関する。
【背景技術】
【０００２】
一般に、現在使われている温室保温方式は、温室の屋根を保温のためにアーチ型のビニル保温カーテンを設けることである。ビニル保温カーテンの下部の一定高さには、ビニルシートや不織布のような断熱シート材の保温カーテンで作った水平な保温カーテンを設けられる。また、温室の各壁面には側面カーテンを設けるのでこのカーテンによって閉鎖された空間で暖房及び保温を行う。または、割り竹や鋼線を利用して作物が成長する所のみに、トンネルを作って保温を行う方式が用いられている。
【０００３】
しかしながら、このような従来の前者の温室保温方式の場合、例えば、温室の上層部及び畝間などの作物が存在しない不要な空間まで暖房及び保温が行われるので、必要以上に暖房エネルギーが消耗するという点があって、非効率的または経済的ではない。一方、後者の場合には、作物の高さが低い葉菜類に限定して利用される制限がある。さらに、ビニルシートは定めた利用時間に作業人がいちいち何回もトンネルを開閉するために手作業でビニルシートを開閉しなければならないので、これによって多くの作業人員及び時間が要求されるのみならず、また、トンネルを開閉する手作業が面倒であるという問題点がある。
【０００４】
前述したような従来の問題を解決するために、現在、小型トンネル開閉装置が開発されて使用されているが、この装置は高価であり、開閉性能も不十分であるので、実際に利用される場合がきわめて稀である。従って、温室の暖房に必要とするエネルギーを最小化するためには、温室内で栽培作物が占める空間だけを別に隔離して暖房を行うことができる保温トンネルを設け、これを自動で開閉するような装置の開発が要求されている。
【発明の開示】
【発明が解決しようとする課題】
【０００５】
本発明は、前述のような従来の保温トンネル及び開閉装置から発生する問題点を解消するためになされたものであり、その目的は、温室内で作物が育っている空間だけを保温トンネルにより隔離させ、隔離された空間だけを暖房して不要な空間の暖房に使われる暖房エネルギーの損失を減少させ、保温トンネルの被覆材として用いられているビニルまたは不織布シートを自動開閉されるので保温トンネルの開閉による作業人員及び時間を低減させると共に、保温トンネルの開閉時の面倒さを解消することができる温室の中央巻き取り式保温トンネル及び保温カーテン自動開閉装置を提供することにある。
【０００６】
また、本発明の他の目的は、温室の屋根の下に設けられたアーチ型の二重保温カーテンまたは仕切りカーテンを自動に開閉させ、開閉による作業性を改善し、作業人員及び時間を低減させた温室の中央巻き取り式保温トンネル及び保温カーテン自動開閉装置を提供することにある。
【０００７】
また、さらに本発明の他の目的は、 巻き取り用パイプに二重のビニルシートが巻き取られたシートロールは保温トンネルや保温カーテンの上部に設けられることによって前記ビニルシートが巻き取り用パイプの回転に従って自動で巻かれるまたは解かれるので円滑な保温トンネルの開閉ができる温室の中央巻き取り式保温トンネル及び保温カーテン自動開閉装置を提供することにある。
【課題を解決するための手段】
【０００８】
本発明は、一つの垂直ボルト挿入口を具備したクリップ固定棒に結合され、前記ボルト挿入口を貫通する一つのボルト、前記ボルトに螺合するナット等、また、前記ボルトの上端部に結合された固定クリップによって高さが調節でき、その中心部に区画された一つのレスト孔と、その下端部にその両側面から互いに対向して延長される一対の保持鍔を備える一つのホルダーと、前記保持鍔の両端部に回転自在に設けられた一対のサポートローラと、前記レスト孔の中心部に位置されるようにホルダーの上端部からレスト孔に下向きに延長されるブラケットによってホルダーに回転自在に結合された一つのガイドローラとを含んで構成され、長手方向に同間隔で離隔されたアーチ型トンネルフレームを横切って延長される一つのクリップ固定棒に沿って設置された複数のシートロールホルダーと、外周面にシートロールの形態でビニルまたは不織布のシートが巻かれ、前記シートを解くまたは巻くために回転されるようにその一側端部にモーター手段が連結された一つの巻き取り用パイプとを含んで構成される温室の中央巻き取り式保温トンネル及び保温カーテン自動開閉装置を提供する。
【０００９】
前記シートはシートロールが二つの先端部を有するように二重に重ねた状態で巻き取り用パイプに巻かれることが望ましい。シート支持台は前記シートロールの各先端部に結合される。前記巻き取り用パイプの外周のシートロールはシートロールホルダーの各保持鍔に設けられたサポートローラとレスト孔に設けられたブラケットによって支持されるガイドローラで安定に支持される。前記サポートローラとガイドローラは摩擦抵抗及び滑りによるシートの損傷と皺現象を防止するように表面処理される。
【００１０】
本発明においては、一つの巻き取り用パイプの外周に二重に重ねたビニルまたは不織布のシートが巻かれる二つの先端部を有する一つのシートロールを作る段階と、保温トンネルの長手方向に延長するため保温トンネルの上に設けられた複数のシートロールホルダーによって巻き取り用パイプに巻かれた前記のシートロールを回転可能に支持する段階と、シートロールの先端部等が保温トンネルの両側部を沿って移動して保温トンネルを開閉するように巻き取り用パイプを正・逆回転させる段階とを含んで構成される温室の中央巻き取り式保温トンネル及び保温カーテン自動開閉方法を提供する。
【発明を実施するための最良の形態】
【００１１】
以下、添付の図面を参照して本発明を詳細に説明する。
【００１２】
図１乃至図７ｂに示すように、図面の符号に示した自動開閉装置１は長手方向で互いに同間隔で離隔されたアーチ型のトンネルフレーム１０を横切る一つのクリップ固定棒に従って装置される複数のシートホルダー５０を含む。各シートホルダー５０は垂直ボルト６０が貫通する垂直ボルト挿入口５０aを有する逆Ｕ字型ホルダー胴体部５０’を含む。ホルダー胴体部５０’は希望する高さでボルト６０に結合することができるように、一対のナット６１がホルダー胴体部５０’の上部の上・下面で垂直ボルト６０で結合される。固定クリップ７１はボルト６０の上端部に結合される。ホルダー胴体部５０’は固定クリップ７１によりクリップ固定棒７０に結合され、ボルト６０とナット６１によって高さの調節ができる。ホルダー胴体部５０’の 中央部には巻き取り用パイプ４０の外周にビニルまたは不織布シート３０が巻き取られたシートロールを収容するためにレスト孔５０ｂが形成される。ホルダー胴体部５０’の下端部にはホルダー胴体部５０’の両側面で互いに対向して内向きに延長される一対の保持鍔５０ｄ、５０ｅが形成される。サポートローラ５１、５２は各々保持鍔５０ｄ、５０ｅに互いに向く端部に回転可能に装置される。ガイドローラ５３はレスト孔５０ｂの中心部に位置されるようにホルダー胴体部５０’の上端部からレスト孔５０ｂに下向きに延長されるブラケット５０”によりホルダー胴体部５０’に回転可能に結合される。シート支持台は巻き取り用パイプ４０の外周に巻かれたシートロールの先端部に付着される。巻き取り用パイプ４０はシートロールを巻くまたは解くため回転可能にその一側端部で別のモーター手段（図示しない）で結合される。
【００１３】
巻き取り用パイプ４０の外周に巻かれたシートロールはシートロールホルダー５０のレスト孔５０ｂの下部に装置されたサポートローラー５１および５２によって支持される。
【００１４】
シート３０は二重に重ねた状態で巻き取り用パイプ４０の外周に巻かれることが望ましい。その場合、巻き取り用パイプ４０の外周にシート３０が巻き取られたシートロールは二つの先端部を有する。従って、図２に示したようにシート支持台３１及び３２は巻き取り用パイプ４０に巻かれたシートロールの各先端部に付着される。
【００１５】
上述の構成に従って、巻き取り用パイプ４０に巻かれたシートロールはシートロールホルダー５０の各保持鍔５０ｄ、５０ｅに結合されたサポートローラ５１、５２と、レスト孔５０ｂに装置されたブラケット５０”によって支持されるガイドローラ５３に安定で支持される。サポートローラ５１、５２とガイドローラ５３はローラと接触される時発生される摩擦抵抗及び滑りのためのシートの損傷と皺現象を防止する表面処理がなされる。
【００１６】
小型温室の形態を有する保温トンネルは各々望ましい大きさを有する適正数量のアーチ型トンネルフレーム１０によって特徴づけられる。ビニルシートはアーチ型トンネルフレーム１０の上に被覆される。ビニルシートは保温トンネルを開閉するため、アーチ型トンネルフレーム１０に区画された保温トンネルの上の中心位置においた巻き取り用パイプ４０の回転によって巻き取り用パイプ４０に巻かれまた解かれる。上述のように、ビニルシートは二重に重ねた状態で巻き取り用パイプ４０の外周に巻かれる。その時、ビニルシートの折り畳みになった端部は巻き取り用パイプ４０の長手方向に延長されながら巻き取り用パイプ４０に固定される。従って、 巻き取り用パイプ４０の外周にビニルシートが巻き取られたシートロールは二つの先端部を有する。巻き取り用パイプ４０の外周に巻き取られたシートロールは、複数のシートロールホルダー５０によって支持される。上述のように、各シートロールホルダー５０は、クリップ固定棒７０に結合された一つの固定クリップ７１と、シートロールホルダー５０の垂直ボルト挿入口５０aを貫通する一つの垂直ボルト６０と、また、シートロールホルダー５０の高さを調節して固定するために、シートロールホルダー５０の上部の上・下面で垂直ボルト６０で結合された二つのナット６１によってクリップ固定棒７０に結合される。
【００１７】
図３に示したように、巻き取り用パイプ４０は連結ピン４３によって互いに連結された複数の単位パイプ部材４１及び４２を含む。図３を参照すれば、一つの連結ピン４３によって連結された二つの単位パイプ部材４１及び４２が示されている。連結ピン４３は単位パイプ部材４１、４２と同一な外径を有する一つの中央フランジ４３ｃと、 単位パイプ部材４１、４２のものより少し小さい外径を有し、中央フランジ４３ｃの両端部から各々長手方向に延長される一対の挿入部を有する。連結ピン４３の挿入部には、各々長手方向に延長されながらその外面に位置する挿入突起４３ａ、４３ｂが形成される。連結ピン４３はその挿入部が二つの単位パイプ部材４１、４２に各々挿入される。単位パイプ部材４１、４２の内に連結ピン４３の挿入突起４３ａ、４３ｂを手作業で挿入させることは難しい。従って、連結ピン４３の両側に単位パイプ部材４１、４２が互いに対向して移動するようにハンマで連結ピン４３または単位パイプ部材４１、４２を打撃して連結ピン４３を挿入する。その時、連結ピン４３が単位パイプ部材４１、４２に堅固に挿入されるように挿入突起４３ａ、４３ｂが単位パイプ部材４１、４２の各内部表面に圧着される。従って、単位パイプ部材４１、４２は互いに堅固に連結される。シートロールホルダー５０は同間隔で離隔されるように巻き取り用パイプ４０に沿って装置される。各シートロールホルダー５０の内に区画されたレスト孔５０ｂは 巻き取り用パイプ４０の外周に巻かれたシートロールがレスト孔５０ｂ内で自由に回転できるような大きさを有する。 引き出し口５０ｃは保持鍔５０ｄ、５０ｅに対向する端部等の間に区画される。引き出し口５０ｃはシート３０が巻き取られたパイプ４０の外周に巻かれるまたは解かれる時に引き出し口５０ｃを通過するようにレスト孔５０ｂが連通される。保持鍔５０ｄ、５０ｅは巻き取られたパイプ４０の外周に巻かれたシートロールを支持するため引き出し口５０ｃの両側面に対称として設置される。
【００１８】
上述したように、シート３０がトンネルの開閉時に摩擦力を最少化させた状態で、シートが軟らかくて且つ円滑に動くように回転自在にサポートローラ５１、５２が保持鍔５０ｄ、５０ｅの両端部に各々設置される。
【００１９】
シート３０は巻き取られたパイプ４０から解かれるので、シート３０が重力に従ってサポートローラ５１、５２の間の各トンネルフレーム１０に沿って下向移動できるようにシート３０の各先端部に下降手段が備えられる。その下降手段は巻き取られたパイプ４０の外周のシートロールの各先端部に結合されたシート支持台３１、３２を含んで構成される。下降手段は各々シート支持台３１、３２に沿って長手方向で延長され、シート支持台３１、３２の内に装置されたウェイト３１ａ、３２ａをもっと含んで構成される。このような構成によりウェイト３１ａ、３２ａの重量を適切に調節することによって自動または手動でトンネルの開閉速度が調節できる。各シート支持台３１、３２は地面に対した密着性とトンネルの密閉性が優れた材質のＰＶＣホース、ハウスパイプなどが使われる。
【００２０】
保温トンネルの開放の状態から閉鎖状態にするためにはシートロールのシートが巻き取られたパイプ４０から解かれるので、サポートローラ５１とシートロールの間の接点とサポートローラ５２とシートロールの間の接点までの距離がだんだん減少される。即ち、シートロールの直径がだんだん減少される。特に、トンネルの開閉装置が広い面積の保温トンネルに適用される場合には、シートロールが非常に大きい直径を有し、そのためトンネル閉鎖の際のシートロールの直径の減少が考慮される。巻き取られたパイプ４０が引出口５０ｃに介したシートロールホルダー５０のレスト孔５０ｂに挿入されるようにするため巻き取られたパイプ４０はサポートローラ５１、５２の間の空間より小さい直径として設置されるべきである。シート３０の巻き取り量は保温トンネルを完全に閉鎖した後、残った巻き取り量は巻き取られたパイプ４０の外周に シートが数回、例えば３回または４回巻き取られた程度である。
【００２１】
本発明によると、トンネルの開閉装置はトンネルの閉鎖のためにシートの解かれる過程また外部の衝撃や搖動が加わる時シートロールが搖動せずに安定な状態を維持するため、巻き取られたパイプ４０の外周に巻かれたシートロールを支持する支持手段をさらに含める。その手段はブラケット５０”によってシートロールホルダー５０に結合され、シートロールの上部を支持するためサポートローラ５１、５２と対向しながらシートロールの上のレスト孔５０ｂに装置されたガイドローラ５３を含んで構成される。そのガイドローラ５３は補助支持手段である。従って、ガイドローラ５３は巻き取られたパイプ４０の外周に巻かれたシートロールの外表面と接触しない場合もある。トンネル開閉装置が保温トンネルを自動で開閉するように構成される場合、支持台３１、３２はシート３０がその重量によって簡単に下降できるように相対的に重いウェイトを取り付ける。その場合、支持台３１、３２の重量は、シートが巻かれた時（トンネル開放の時）の駆動装置の電力消耗と負荷を考慮して決定される。反面、 保温トンネルが手動で開閉される時、支持台３１、３２は巻き取り用パイプ４０に加えるトルクを減少させるため相対的により軽い重量を持たすのでシート３０が簡単に解けるまた巻かれることになる。
【００２２】
本発明は保温トンネルを自動で開閉することを目的とするので、手動トンネルの開閉手段に対しては説明しない。手動トンネルの開閉は電源の供給装置の故障と自動開閉制御システムの故障等の非常時に行える。手動のトンネル開閉の操作は自動開閉制御システムからパイプ駆動部を解除させた後、パイプ駆動部を手動で操作することができる。自動トンネル開閉制御は、装置の構造に損傷が発生させる高速または開閉制御遅延が起こる程度の低速で、シートが巻かれまたは解けることを防止するために装置の各移動要素の摩擦値と移動速度を考慮して制御することができる。図示しないが、自動トンネル開閉制御は巻き取り用パイプ４０を正・逆の回転ができる動力の伝達する駆動モータと、保温トンネルの温度を感知する温度センサー等と、その温度センサー等から感知されたトンネル温度に従って遠隔制御ができるように駆動モータに付けたリモートコントローラーで使用することができる。これによって温室に収容された複数の保温トンネル等が制御されるのは勿論、その各保温トンネルに対した制御は相互関係のある保温トンネル等の温度、保温トンネル等の状態及び温室の温度に基づいて行われる。
【００２３】
前記に説明した構成を有する本発明の自動トンネル開閉装置の設置に対して説明する。
【００２４】
まず、保温トンネルを設置した温室内に複数のクリップ固定棒７０を設置する。クリップ固定棒７０は温室の長手方向に望ましい高さで相互同間隔で離隔されるように並んで延長される。その後には、各保温トンネルが構成した複数のトンネルフレーム１０を、クリップ固定棒７９中関連がある一つと交差する方向に配列され、関連されたクリップ固定棒７９に対して対称しながら相互同間隔で離隔されるように温室内の地面に設置される。その後、各々のボルト６０は結合されている複数の固定クリップ７１をクリップ固定棒７９に付着する。各々ボルト６０はトンネルフレーム２０により区画された温室トンネルの中間の部位でクリップ固定棒７９から下向延長される。その後、一つのシートホルダー５０が各ボルト６０へ結合される。シートホルダー５０のボルト６０への結合はボルト６０の上部ねじ山の部位をナット６１と螺合させ、ボルトをシートロールホルダー５０の垂直ボルト挿入口５０aを通じて延長されるようにしながら、シートロールホルダー５０をボルトに固定させ、ボルト６０の下部ねじ山の部位にナット６２を螺合させ、望ましい位置でシートロールホルダー５０を堅固に支持するようにナット６１、６２を結合することができる。
【００２５】
シートロールホルダー５０の設置が完了された後、各巻き取り用パイプ４０の組み立ての工程が行われる。各巻き取り用パイプ４０は隣接の単位パイプ部材４１、４２を一つの連結ピン４３によって連結する方式で複数の単位パイプ部材４１、４２を互いに連結することによって製作される。即ち、連結ピン４３の挿入突起４３ａ、４３ｂは両端の挿入部に各々形成された単位パイプ部材４１、４２に挿入される。連結ピン４３の両側に単位パイプ部材４１、４２が互いに向い会って移動できるようにハンマで連結ピン４３または単位パイプ部材４１、４２を打撃して連結ピン４３を挿入させる。この時、挿入突起４３ａ、４３ｂは単位パイプ部材４１、４２の各々内面に圧着され、それによって連結ピン４３は単位パイプ部材４１、４２に堅固に結合される。従って、単位パイプ部材４１、４２等は互いに堅固に連結される。複数の単位パイプ部材４１、４２等を前記の方法に繰り返してその組み立てる工程を行って、希望する長さを持つ各巻き取り用パイプ４０を得ることができる。
【００２６】
その後、各巻き取り用パイプ４０の外周にビニルシートを巻き取ってシートロールを形成させる。その巻取り工程は各巻き取り用パイプ４０が連動される一つのクリップ固定棒７９に付着されたシートロールホルダー５０のレスト孔５０ｂに挿入される条件の下で行われる。巻き取り用パイプ４０は引出口５０ｃを通ってシートロールホルダー５０のレスト孔５０ｂの内部に挿入される。 巻き取り工程は巻き取り用パイプ４０に連結されたモータ手段を使って行われる。従って、巻き取り工程により形成されたシートロールはシートロールホルダー５０のレスト孔５０ｂに収容される。その時、シートロール先端部はシートロールホルダー５０の引出口５０ｃを通って下向きに延長される。それによってシートロールの各先端部に付着されたシート支持台３１、３２は引出口５０ｃの下または少なくともシートロールが各シートロールホルダー５０のサポートローラ５１、５２と接触する位置より低い位置に配列される。従って、トンネル閉鎖操作の中でシートがサポートローラ５１、５２とシートロールの中のいずれの一つの間にインゲイジすることを防止することができる。それによって、シートがシートロールから柔らかく解かれることができる。
【００２７】
図６ａ及び図６ｂに図示したように、ビニルシートは二重に重ねた状態で巻き取り用パイプ４０に巻き取られることが望ましい。その時ビニルシートはその重ねた末端から始めて巻き取られる。ビニルシートの巻き取りはシートロールホルダー５０のレスト孔５０ｂに巻き取り用パイプ４０が挿入された条件下に行われる。従って、シートロールはシートロールホルダー５０に挿入された巻き取り用パイプ４０の外周に形成される。巻き取り用パイプ４０は駆動モータを備えた開閉制御手段（図示せず）に連結され、駆動モータの作動によって正・逆回転されるので一つに連結された保温トンネルを開閉する。従って、シートロールの形成は駆動モータを使って達成できる。
【００２８】
保温トンネルの開放状態で巻き取り用パイプ４０を正方向に回転させると、シートロールは正方向に回転されてシート支持台３１、３２及びそのウェイト３１ａ、３２ａによってビニルシートがシートロールから下方に解かれるようになる。その時、各シートロールホルダー５０のサポートローラ５１、５２は逆方向に回転する間にビニルシートの解かれをガイドする。それによってビニルシートの二つの先端部が相互分岐され、各トンネルフレーム２０の両側面を沿って下降する。各シート支持台３１、３２が全体の長さにかけて地面と接触する場合、ビニルシートの下向移動が完了する。図７ａ及び図７ｂは各保温トンネルが完全に閉鎖された状態を示している。各保温トンネルの開方はトンネル閉鎖時の方向と逆方向に巻き取り用パイプ４０を回転させて行われる。
【００２９】
各々の保温トンネルの開閉の程度は巻き取り用パイプ４０の回転数を調節することによって、易しく調節できる。各保温トンネル用自動開閉装置は栽培する作物の特性と保温トンネルの内部の温度によって遠隔制御方式で自動制御できる。従って、保温トンネルの暖房条件が容易に制御できる。
【００３０】
特に、前記温室の中央巻き取り式保温トンネル及び保温カーテン自動開閉装置１は、暖房空間を最小化させると共に各々の保温トンネルが外部空気から断絶される形態なので暖房が容易になる。また、前記自動開閉装置１は温室の設置、作物の成長の維持及び補修に最小限の作業人員で容易に行われるように簡単な構造を有する。前記自動開閉装置１は温室の設置形態及び構造に関係なく、多様な温室に適用できる。例えば、前記の装置１はガラス温室、ビニル温室、連動温室、単動温室または雨除け栽培の温室などに適用できる。本出願は他の規格の保温トンネルを含む二重構造の温室が例示されているが、温室またはその保温トンネルの設置場所、大きさ及び面積等は温室の設置面積と特性、栽培作物の品種、栽培条件等必要に応じて自由に設定できるもので、この実施形態に限定されるものではない。
【産業上の利用可能性】
【００３１】
本発明に係る温室の中央巻き取り式保温トンネル及び保温カーテン自動開閉装置及び方法は作物が成長している空間だけを隔離・分離して暖房をすることができるので、不要な空間の暖房による暖房エネルギー（費用）を節減でき、効率的且つ経済的である。本発明の自動開閉装置及び方法によって、自動で保温トンネルを開閉できる。従って、保温トンネルを開閉に必要な作業人員及び時間を低減でき、開閉を手作業で行う場合生じる面倒さを解消できる。さらに、保温トンネルの構造と開閉方式がシンプルであるため、誰にでも容易に作業を行うことができる。特に、少ない作業人員で維持・管理が可能なので、人件費を節減できる。さらに温室の暖房費のみならず施設園芸作物の生産費を節減できる。従って農家所得の増大に大きく寄与できる。
【００３２】
本発明の望ましい実施例が説明の目的として記載されているが、請求の範囲に係る本発明の範囲を逸脱することなく多様な変形、追加及び置換が当業者であれば可能である。
【図面の簡単な説明】
【００３３】
【図１】本発明による自動トンネル開閉装置を示す斜視図である。
【図２】本発明による自動トンネル開閉装置の要部拡大斜視図である。
【図３】本発明による巻き取り用パイプの結合状態を示す縦断面図である。
【図４】本発明による巻き取り用パイプ連結ピンを示す側面図である。
【図５】本発明による巻き取り用パイプにビニルが巻き取られたシートロールを示す側面図である。
【図６（ａ）】本発明による自動トンネル開閉装置の作動状態を示す部分拡大正面図である。
【図６（ｂ）】本発明による自動トンネル開閉装置の作動状態を示す部分拡大正面図である。
【図７（ａ）】本発明による自動トンネル開閉装置の実施形態を示す正面図である。
【図７（ｂ）】本発明による自動トンネル開閉装置の実施形態を示す正面図である。
【図１】
2005520504.tif 000003
【図２】
2005520504.tif 000004
【図３】
2005520504.tif 000005
【図４】
2005520504.tif 000006
【図５】
2005520504.tif 000007
【図６（ａ）】
2005520504.tif 000008
【図６（ｂ）】
2005520504.tif 000009
【図７（ａ）】
2005520504.tif 000010
【図７（ｂ）】
2005520504.tif 000011
【国際調査報告】
2005520504.tif 000012
2005520504.tif 000013